(57)【要約】【課題】使用時は強固に装着されていながら、分解時には容易に引き抜くことができる脚取付装置を提供する。【解決手段】脚本体１と脚本体の装着面１ａに突設した圧入部２を備え、前記脚本体１の少なくとも一部に空隙５を形成して、空隙５と対応する脚本体１の外壁１１に圧力を加えることで外壁が陥没変形するようにし、その陥没部位を把持して取外し可能とすることにより、陥没部位を掴みしろとし、容易に脚を掴むことが可能となり取外しを容易に行うことができる。【選択図】図１
2007068602.tif 000002
【特許請求の範囲】
【請求項１】
脚本体と脚本体の装着面から突設され、被取付部の凹部に圧入される圧入部とで弾性を有する脚を構成し、前記脚本体の少なくとも一部に空隙を形成して、前記空隙と対応する脚本体の外壁に圧力を加えることでこの同脚本体の外壁が陥没変形するようにし、その陥没部位を把持して少なくとも脚の取外しを行うようにした脚取付装置。
【請求項２】
前記空隙の一方が開放されており、圧力付加時に脚の外壁が前記空隙内に傾倒するようにした請求項１記載の脚取付装置。
【請求項３】
前記空隙を環状に形成した請求項１または請求項２に記載の脚取付装置。
【請求項４】
請求項１〜３のいずれか１項に記載の脚取付装置で取付けた脚を有する機器。
【請求項５】
請求項１〜３のいずれか１項に記載の脚取付装置で取付けた脚を有する便座装置。
【発明の詳細な説明】
【技術分野】
【０００１】
本発明は、例えば便座裏面等に装着するクッション機能を有する、いわゆるクッション脚の、特に分解時に容易に引き抜くことができる構成に関するものである。
【背景技術】
【０００２】
機械装置や家具等の機器の裏面には設置面と当接するゴム等の弾性材料などからなる、いわゆるクッション脚を装着することが一般的である。
【０００３】
例えば、便座装置の便座の裏面には複数個のクッション脚が装着されており、これは、便器のリム上面と当接する際の衝撃を緩和するため、あるいは便器のリム上面の平面度のバラツキを吸収するために設けられている。
【０００４】
便座は開閉動作や人の着座等、常に振動や衝撃にさらされるため、便座とクッション脚との装着は緩みやすく、万一装着が外れた場合にはクッション脚が便器の中に落下する可能性もあり、強固な装着が求められる。
【０００５】
このようなクッション脚の取付構成として、図９のように、脚本体１の裏側から１本或いは複数本の圧入部２を一体に形成し、さらに、この圧入部２の外周々方向に凹凸形状の係止手段３を設け、被取付け部、例えば、便座であれば、その裏板の孔状取付部に圧入部２を圧入して取付けていた。この場合、凹凸形状の係止手段３は孔状取付部に弾性的に係止されるようになり、取付状態を強固なものとする作用を発揮する（例えば、特許文献１参照）。
【０００６】
また、リサイクル時の分解作業性を高めるべく、脚と被取付部の境部の一部にドライバー等の工具を差し込む溝を特別に設けたものも見受けられる（例えば、特許文献２参照）。
【特許文献１】特開２００２−１３６４５１号公報
【特許文献２】実用新案登録第３０９５７８１号公報
【発明の開示】
【発明が解決しようとする課題】
【０００７】
近年の環境問題に対応するために、製品である機器を破棄する際には、機器を部品に分解し、材料毎に分別廃棄もしくはリサイクルを行うことが求められている。例えば、便座にあっては、求められる強度や機能が異なるため、同じ材料で構成することは困難であり、それぞれ異なる材料で形成される。
【０００８】
つまり、合成樹脂でつくられた便座と、例えば、ゴム製の脚とは容易に分解できることが、反面、使用時には強固に装着されることがそれぞれ要求される。
【０００９】
しかしながら、従来の脚取付構成では、強固に圧入されている係止手段を引き抜くには脚本体を確実に掴む必要があるが、永年の使用で脚本体が変形していることが多く、しかも、汚れの付着で滑り易い状態となっている。加えて、被取付部に脚が固着していることも多々見受けられる。
【００１０】
その結果、脚の分解に大変な手間を要していた。また、ドライバー等の工具を差し込む溝を設けたものでも、この溝が汚れで埋まり、本来の機能を発揮し得ないことが多く、もし、そうでないとしても、特別に工具が必要で勝手の悪いものとなっていた。
【００１１】
本発明は、上記従来の課題を解決するものであり、脚の強固な固定と容易な分解の両機能を両立させることを目的とするものである。
【課題を解決するための手段】
【００１２】
本発明は上記目的を達成するために、脚本体の少なくとも一部に空隙を形成して、空隙と対応する脚本体の外壁に圧力を加えることでこの同脚本体の外壁が陥没変形するようにし、その陥没部位を把持して少なくとも脚の取外しを行うようにしたものである。
【発明の効果】
【００１３】
本発明の脚取付装置は、脚の取外しを行う際に、脚本体の陥没部位を掴むことにより、容易に引き抜くことができる。
【発明を実施するための最良の形態】
【００１４】
第１の発明は、脚本体と脚本体の装着面から突設され、被取付部の凹部に圧入される圧入部とで弾性を有する脚を構成し、脚本体の少なくとも一部に空隙を形成して、空隙と対応する脚本体の外壁に圧力を加えることでこの同脚本体の外壁が陥没変形するようにし、その陥没部位を把持して少なくとも脚の取外しを行うようにしたものである。この空隙により脚本体の陥没変形が助長され、陥没部位を掴みしろとし、容易に脚を掴むことができる。
【００１５】
第２の発明は、第１の発明の空隙の一方が開放されており、圧力付加時に脚の外壁が空隙内に傾倒するようにしたものである。これにより、指で掴んで外壁を傾倒させることができ、容易に脚を掴むことができる。
【００１６】
第３の発明は、第１または第２の発明の空隙を環状に形成したものである。これにより、脚を側面全方向から掴むことができる。
【００１７】
第４の発明は、第１〜３の発明のいずれかにおける脚取付装置で取付けた脚を有する機器である。これにより、機器を廃棄する際にも脚を容易に引き抜き、分解することができる。
【００１８】
第５の発明は、第１〜３の発明のいずれかにおける脚取付装置で取付けた脚を有する便座装置である。これにより、人が座って強固に密着した脚であっても容易に引き抜き、分解することができる。
【００１９】
（実施の形態１）
図１において、弾性を有する軟質の樹脂で成型した脚４は脚本体１の装着面１ａから突設され一体的に形成された圧入部２とからなり、脚本体１には装着面１ａに開放した円筒形状の空隙５を対称位置に備え、円筒形状の圧入部２の外周には抜け防止用の突起２ａを環状に設けている。一方、便座装置６は便座７を回動自在に軸支し、脚４の被取付部である便座７の裏面には凹部８を設けている。  図２は、脚４を便座７に装着した状態の断面図を示すものであり、脚４は圧入部２を凹部８に圧入することにより、便座７に対して脚本体１が突出露出した状態で装着され、脚取付装置を構成する。ここで、脚４は便座７を閉成した際に便器９のリム１０の上面に当接する。
【００２０】
図３は、脚を便座から引き抜く様子示すものであり、図３（ａ）および図３(ｂ）は脚４を便座に装着した際の便座側から見た図（上面図）であり、図３（ｃ）はその側面図である。なお、便座および、圧入部２の一部は図示を省略している。
【００２１】
ここで、空隙５と対応する脚本体１の外壁１１に、治具１２を用いて、矢印Ａ方向に示すように側方から圧力を加えると、図３（ｂ）および図３（ｃ）に示すように、空隙５が縮小することにより、外壁１１が陥没した状態で変形する。
【００２２】
つまり、治具１２を用いて脚本体１の側面に圧力を加えてへこませ、この陥没部位を把持した状態である。
【００２３】
この状態で図３（ｃ）の矢印Ｂ方向に引くと、陥没部位が掴みしろとなり、脚４を容易に便座から引き抜くことができる。
【００２４】
脚４は弾性を有しているため、引き抜いた後に治具１２の圧力を除くと弾性体の復元力により陥没は元に戻り、治具１２と脚４は容易に分離する。
【００２５】
一方、空隙５を備えていない従来の脚４において同様の作業を行った場合には、治具により多少の陥没を生じさせることができたとしても充分な掴みしろとはならず、脚４の圧入力に抗して脚４を引き抜くことは困難である。
【００２６】
陥没量を増加させるためには治具の接触面積を小さくする、つまり治具を鋭利なものにする方法も考えられるが、この場合は治具が脚本体側面に突き刺さる可能性が高く、脚４を引き抜いた後に治具の圧力を除いても、治具と脚４とは分離しない。
【００２７】
これはリサイクルや分別廃棄を目的とする分解作業においては非常なロスとなる。よって、空隙５を設けた本実施の形態の脚４は非常に大きな効果を奏する。
【００２８】
なお、上記問題を解決するために、脚本体の側面に予め陥没を形成しておくことも考えられるが、この陥没に汚れ等が溜まる可能性がある。特に便座装置においては、脚は汚水にさらされる機会が多いため、本発明の実施の形態としては適切ではない。
【００２９】
ここで掴み治具となる治具１２は脚４を掴むための装置であってもよいし、もっと簡便に、作業者が手動で用いるプライヤー類であってもよい。
【００３０】
本実施の形態においては、空隙５が脚本体１の装着面１ａに開口を有する場合を図示したが、開口を有しない、すなわち空隙５が脚本体１の内部に形成された場合であっても同様に実施することができる。つまり、空隙が脚本体の内部に形成されている場合であっても、空隙の縮小により外壁の陥没変形が生じ、陥没部位を把持することができる。
【００３１】
なお、便座装置６は人体局部を洗浄、乾燥等する衛生洗浄装置として図示しているが、暖房便座装置や、あるいは電気的機能を備えない単なる便座装置（いわゆる便座）であってもよい。
【００３２】
（実施の形態２）
図４〜図７は本発明の第２の実施の形態におけるクッション脚を示すものであり、本実施の形態が実施の形態１と異なる点は空隙５の形状が異なる点である。
【００３３】
図４（ａ）は空隙５を脚本体１の外形に沿った溝状に形成したものであり、図４（ｂ）はその上面図である。また、図５は空隙５を環状の溝に形成した場合の上面図である。
【００３４】
ここで、脚４を便座から引き抜く際に脚本体１の側面から治具により圧力をかけるが、空隙５が溝状であるため治具の当てるべき位置に幅ができ、厳密な位置合わせが不要となり、分解作業を簡便で迅速に行うことができる。
【００３５】
また、図５に示すように、空隙５が環状であれば、脚本体１の側面の任意の方向（全方向）から掴むことが可能であり、分解作業を簡便で迅速に行うことができるとともに、空隙の位置や大きさ、形状といった内部構造を熟知していない者であっても分解作業を行うことができる。
【００３６】
なお、掴み位置の幅を広げるという観点であれば、空隙を溝状に形成する以外に、複数の空隙を並べても溝状の空隙と同様の効果を奏する。
【００３７】
また、図においては空隙５が脚本体１の装着面１ａに開口を有する場合を示したが、掴み位置の幅を広げるという観点でからは、開口を有しない、すなわち空隙５が脚本体１の内部に形成された場合であっても同様に実施することができる。
【００３８】
一方、空隙５を脚本体１の装着面に開口を有する溝状にすることにより、下記のとおりの別な効果を奏する。
【００３９】
つまり、空隙５が脚本体１の装着面に開口を有する溝状であることにより、外壁１１の変形自由度が増し、図６に示すように、外壁１１を空隙５内に傾倒させることができる。
【００４０】
この場合、図６（ｂ）に示すように、内方に傾倒した外壁１１は空隙５の底１３に近づくか、あるいは接するため、傾倒した外壁１１に対して矢印方向に力を加えて引くことは、脚本体１自体を引っ掛けて引くこととなり、大きな力を容易に掛けることができる。
【００４１】
特に、溝状の空隙５が環状であれば外壁１１の変形自由度はさらに大きくなり、作業が容易となる。
【００４２】
ここで、外壁１１を陥没させて引き抜く場合は、陥没に要する力と引き抜く力の両方に相応の力が必要で、かつ陥没に要する力と引き抜く力の方向が直交するため、治具等を用いて、双方に充分な力を掛けることが望ましい。
【００４３】
一方、外壁１１を傾倒させて引き抜く場合は、外壁１１を一旦傾倒させてしまえば、傾倒を維持するための力と引き抜く力はほぼ同一方向であり、小さい力で引き抜く、例えば指で引き抜くことも可能となり、引き抜き作業の利便性が向上する。
【００４４】
さらに図７に示すように、外壁１１を外方に傾倒させて引き抜くこともできる。
【００４５】
（実施の形態３）
実施の形態１および２においては、脚４を便座装置に装着した場合について説明したが、図８に示すように、家具１４に脚４を装着する場合でも同様に実施することができる。
【００４６】
ここで家具として収納家具の例を図示したが、これに限らず、机やいす等であってもリサイクルや分別廃棄は求められており、同様の効果を奏する。
【００４７】
また、リサイクルや分別廃棄の点においては、機械装置に装着する脚も同様であり、むしろリサイクルが義務付けられる様な電気製品においては必須の事項であり、脚を容易に引き抜くことができれば大きな効果を奏する。
【産業上の利用可能性】
【００４８】
本発明の脚取付装置は、使用時は強固に装着されており、かつ分解時には容易に引き抜くことができるため、リサイクル分解が必要となる機器の脚として有用である。
【図面の簡単な説明】
【００４９】
【図１】本発明の実施の形態１における脚取付装置および便座装置の斜視図
【図２】同実施の形態１における脚取付装置および便座の断面図
【図３】（ａ）同実施の形態１における脚の取外し前を示す平面図（ｂ）同脚の取外し時を示す平面図（ｃ）同脚の取外し時を示す正面図
【図４】（ａ）本発明の実施の形態２における脚の斜視図（ｂ）同実施の形態における脚の上面図
【図５】同実施の形態２における別の形状の脚の上面図
【図６】（ａ）同実施の形態２における脚の取外し前を示す断面図（ｂ）同脚の取外し時を示す断面図
【図７】同実施の形態２における脚の取外し時を示す断面図
【図８】本発明の実施の形態３における脚取付装置および家具を示す斜視図
【図９】従来の脚取付装置を示す斜視図
【符号の説明】
【００５０】
１  脚本体
１ａ  装着面
２  圧入部
４  脚
５  空隙
６  便座装置
８  凹部
１１  外壁
１４  家具（機器）
【図１】
2007068602.tif 000003
【図２】
2007068602.tif 000004
【図３】
2007068602.tif 000005
【図４】
2007068602.tif 000006
【図５】
2007068602.tif 000007
【図６】
2007068602.tif 000008
【図７】
2007068602.tif 000009
【図８】
2007068602.tif 000010
【図９】
2007068602.tif 000011